(57)【要約】【課題】シンプルで美観に優れつつ機能的にも優れた椅子を提供する。【解決手段】背もたれ２は背インナーシェル１０を備えており、背インナーシェル１０のうち下部の左右側面に、横向きに開口した凹所１６が形成されている。凹所１６に、背用傾動ユニット１２を内蔵している。背用傾動ユニット１２は、背インナーシェル１０に固定されたアウターブラケット１３と、背支柱７に横向きボルト２６で固定されたインナーブラケット１４とを備えており、両者は枢支ピン１７で連結されている。枢支ピン１７は、背支柱７に形成した軸受け溝２５に抜け不能に嵌まっている。アウターブラケット１３の後傾動は、ばねによって弾性的に支持される。背用傾動ユニット１２は背もたれ２の肉厚部に内蔵されているため、シンプルな外観とロッキング機能とを両立させている。【選択図】図４
2020018570.tif 000002
【特許請求の範囲】
【請求項１】
座と背もたれとを備えており、前記背もたれは、着座者がもたれ掛かるとばね手段に抗して後傾動するように当該背もたれの左右両側に配置した背支柱に連結されている構成であって、
前記背支柱は、前記背もたれの側面に密接又は近接するように配置されており、
前記背もたれに、前記背支柱に向けて横向きに開口した凹所が形成されており、前記凹所に前記ばね手段を配置している、
椅子。
【請求項２】
前記背もたれの凹所には、当該凹所に固定された可動ブラケットと、前記背支柱に固定された固定ブラケットとが配置されており、前記可動ブラケットと固定ブラケットとの間に前記ばね手段を配置している、
請求項１に記載した椅子。
【請求項３】
前記固定ブラケットには、前記背支柱に進入する露出部を有する枢支ピンが固定されている一方、
前記背支柱には、前記枢支ピンの露出部を手前から落とし込みできる軸受け溝が形成されており、
かつ、前記固定ブラケットは、前記枢支ピンの下方に配置されたボルトによって前記背支柱に固定されており、前記ボルトは、前記背支柱の外側面から挿通されている、
請求項２に記載した椅子。
【請求項４】
前記可動ブラケットは、前面板と後面板と内外側板とを有して筒状の略形態を成しており、前記左右側板に前記枢支ピンが貫通固定されている一方、
前記固定ブラケットは、後面板と左右側板とを有していて前記可動ブラケットの内部に配置されており、前記可動ブラケットの外側板に、前記ボルトが貫通する逃がし穴が形成されており、前記逃がし穴は、前記可動ブラケットの回動を許容するように長穴になっている、
請求項３に記載した椅子。
【請求項５】
前記可動ブラケットと固定ブラケットとは金属製であり、前記可動ブラケットに、前記背支柱の側面に密接する合成樹脂製のサイドブラケットを設けている、
請求項２〜４のうちのいずれかに記載した椅子。
【請求項６】
前記背もたれは、合成樹脂製の背インナーシェルに背クッションを張った構造であり、前記背インナーシェルの背面に、その左右両端まで一連に延びる金属製の補強板が配置されていて、前記補強板は、前記背インナーシェルに形成された凹溝に嵌まり込んでおり、
かつ、前記補強板と前記背インナーシェルと前記可動ブラケットとがビスで共締めされて、前記補強板は表皮材で覆われている、
請求項２〜５のうちのいずれかに記載した椅子。
【発明の詳細な説明】
【技術分野】
【０００１】
本願発明は、左右の背支柱に背もたれが後傾可能に連結された椅子に関するものである。
【背景技術】
【０００２】
椅子において、背もたれがばね手段に抗して後傾するものは広く使用されている。この場合、後傾自在な背支柱に背もたれが取付けられている場合と、固定式の背支柱に背もたれが後傾可能に連結されている場合とがある。会議室用椅子のような簡素な椅子では、後者のように背支柱に背もたれを後傾可能に連結している。
【０００３】
背もたれはばね手段に抗して後傾するようになっており、背支柱に背もたれを後傾可能に連結する場合でも、連結部にばね手段を配置する必要がある。そこで、特許文献１には、背もたれの背面に補強板を固定して、補強板の左右両端に、背もたれの左右側面の外側にはみ出た軸受け部を設け、軸受け部の内部にばね手段を配置することが開示されている。
【０００４】
他方、特許文献２には、背支柱の上端部を水平状の支軸に形成して、背もたれの背面にブラケットで連結し、ブラケット及びばねを背面板で覆うことが開示されている。支軸とブラケットは背もたれの後ろに突出するため、背面板の左右両側部には、ブラケットを覆う膨出部が形成されている。
【先行技術文献】
【特許文献】
【０００５】
【特許文献１】特開２００６−２０４７３２号公報
【特許文献２】実開平４−１３３７５６号のＣＤ−ＲＯＭ
【発明の概要】
【発明が解決しようとする課題】
【０００６】
特許文献１では、軸受け部は背もたれの左右外側に大きくはみ出ているため、コンパクトさに欠けるという問題がある。また、補強板は背もたれの背面から凸形に突出しているため、補強板が目立って美観が必ずしもよくないという問題もある。
【０００７】
他方、特許文献２では、背支柱は背もたれの側面に近接させることができるため、特許文献１に比べるとコンパクトになって見た目も良くなるが、背面板には後ろ向き膨出部が形成されるため、背もたれの背面をスッキリさせたいという要望には十分に応え難いといえる。
【０００８】
本願発明はこのような現状を改善すべく成されたものであり、コンパクトでスッキリとした外観を確保しつつ、背もたれを背支柱に後傾可能に連結できるようにすることを課題とするものである。
【課題を解決するための手段】
【０００９】
本願発明は様々な構成を含んでおり、その典型を各請求項で特定している。このうち請求項１の発明は、
「座と背もたれとを備えており、前記背もたれは、着座者がもたれ掛かるとばね手段に抗して後傾動するように当該背もたれの左右両側に配置した背支柱に連結されている構成であって、
前記背支柱は、前記背もたれの側面に密接するように配置されており、
前記背もたれに、前記背支柱に向けて横向きに開口した凹所が形成されており、前記凹所に前記ばね手段を配置している」
という構成になっている。
【００１０】
請求項２の発明は、請求項１において、
「前記背もたれの凹所には、当該凹所に固定された可動ブラケットと、前記背支柱に固定された固定ブラケットとが配置されており、前記可動ブラケットと固定ブラケットとの間に前記ばね手段を配置している」
という構成になっている。
【００１１】
請求項３の発明は請求項２を具体化したものであり、
「前記固定ブラケットには、前記背支柱に進入する露出部を有する枢支ピンが固定されている一方、
前記背支柱には、前記枢支ピンの露出部を手前から落とし込みできる軸受け溝が形成されており、
かつ、前記固定ブラケットは、前記枢支ピンの下方に配置されたボルトによって前記背支柱に固定されており、前記ボルトは、前記背支柱の外側面から挿通されている」
という構成になっている。
【００１２】
請求項４の発明は、請求項３において、
「前記可動ブラケットは、前面板と後面板と内外側板とを有して筒状の略形態を成しており、前記左右側板に前記枢支ピンが貫通固定されている一方、
前記固定ブラケットは、後面板と左右側板とを有していて前記可動ブラケットの内部に配置されており、前記可動ブラケットの外側板に、前記ボルトが貫通する逃がし穴が形成されており、前記逃がし穴は、前記可動ブラケットの回動を許容するように長穴になっている」
という構成になっている。
【００１３】
請求項５の発明は、請求項２〜４のうちのいずれかにおいて、
「前記可動ブラケットと固定ブラケットとは金属製であり、前記可動ブラケットに、前記背支柱の側面に密接する合成樹脂製のサイドブラケットを設けている」
という構成になっている。
【００１４】
請求項６の発明は、請求項２〜４のうちのいずれかにおいて、
「前記背もたれは、合成樹脂製の背インナーシェルに背クッションを張った構造であり、前記背インナーシェルの背面に、その左右両端まで一連に延びる金属製の補強板が配置されていて、前記補強板は、前記背インナーシェルに形成された凹溝に嵌まり込んでおり、
かつ、前記補強板と前記背インナーシェルと前記可動ブラケットとがビスで共締めされて、前記補強板は表皮材で覆われている」
という構成になっている。
【発明の効果】
【００１５】
本願発明では、ばね手段は背もたれの肉厚部内に内蔵されているため、背支柱を背もたれの側面に寄せて配置したコンパクトな構造でありながら、背もたれに出っ張りができることを防止又は抑制して、背もたれを後傾動可能に構成できる。従って、背もたれが後傾しないかのようなスッキリした外観でありながら、背もたれにロッキング機能を保持させて、椅子に高い商品価値を持たせることができる。
【００１６】
背もたれの構造は様々であるが、クッションタイプでは、合成樹脂製の背インナーシェル（背板）に背クッションを張った構造が多い。そして、合成樹脂は金属に比べると強度が低いため、例えば、合成樹脂製の背インナーシェルを背支柱に枢支ピンで直接に連結すると、背インナーシェルの狭い部位に大きな負荷が掛かって強度面の不安が生じるおそれがある。
【００１７】
これに対して請求項２のように可動ブラケットと固定ブラケットとを設けると、両者を金属製のような強度が高い部材で構成することにより、背インナーシェルの破損や変形を招来することなく、背もたれのロッキング機能を確保できる。従って、背もたれの材料や構造の選択の自由性を広げて、現実性に優れている。
【００１８】
背支柱と背もたれとの連結手段としては、背支柱に枢支ピンを固定する場合と、背もたれに枢支ピンを固定する場合とが有り得る。後者のように背もたれに枢支ピンを固定すると、枢支ピンを予め背もたれに強固に固定できるため、背もたれの支持安定性に優れている利点があるが、枢支ピンは背もたれの外側に突出した露出部を有するため、椅子の組み立てに際しては、背支柱を枢支ピンに嵌め入れるという工程が必要になり、従って、椅子の組み立てにおいて作業性が悪いという問題がある。
【００１９】
これに対して請求項３の構成を採用すると、枢支ピンの露出部は軸受け溝に落とし込まれるため、背支柱を所定の状態に組み付けてから背もたれの取付けを行うことができる。従って、椅子の組み立ての作業性がよい。しかも、固定ブラケットがボルトで背支柱に固定されていることにより、枢支ピンが上向きに移動することはないため、落とし込み方式でありながら、背もたれが背支柱から上向きに外れるという問題は皆無である。従って、背もたれのロッキング機能を確保しつつ、椅子を能率よく組み立てることができる。
【００２０】
可動ブラケット及び固定ブラケットは様々な形態を採用できるが、請求項４の構成を採用すると、可動ブラケットは筒状で固定ブラケットは溝状になっているため、高い強度を確保して、椅子に必要にして十分な強度を担保できる。
【００２１】
既述のとおり、可動ブラケットと固定ブラケットとを金属製とすることによって高い強度を確保できるが、金属製の可動ブラケットと背支柱とが擦れ合うと、異音が発生して使用者が不快感を持つことが懸念される。
【００２２】
これに対して請求項５のように樹脂製のサイドブラケットを採用すると、擦れ音の発生を防止して、快適なロッキング状態を実現できる。
【００２３】
請求項６の構成では、背インナーシェルの狭い部位に大きな荷重が掛かることを補強板によって防止できるため、背インナーシェルをできるだけ薄くして見栄えを良くしつつ、必要な強度を確保することができる。従って、椅子の商品価値を向上できる。また、補強板は、背インナーシェルに形成された凹溝に嵌まり込んでいるため、補強板の上下側縁は背インナーシェルとの間に段差が生じることも防止して、美観向上できる。
【図面の簡単な説明】
【００２４】
【図１】実施形態の外観図で、（Ａ）は肘掛けを設けた状態での斜視図、（Ｂ）は肘掛けを設けていない状態での斜視図、（Ｃ）は背面斜視図、（Ｄ）は座を分離した状態の斜視図である。
【図２】（Ａ）は平面図、（Ｂ）は側面図、（Ｃ）は正面図、（Ｄ）は背面図である。
【図３】（Ａ）は背もたれの一部破断斜視図、（Ｂ）は表皮材を取り外して背もたれを後ろから見た一部破断斜視図、（Ｃ）は背もたれの部分的な分離側面図である。
【図４】背もたれの回動支持手段を示す図で、（Ａ）は前から見た分離斜視図、（Ｂ）はばねユニットの分離斜視図である。
【図５】（Ａ）は背もたれの回動支持手段を示す分離斜視図、（Ｂ）（Ｃ）は、背支柱とカバーとの関係を示す分離斜視図である。
【図６】（Ａ）は図７（Ｂ）のVI-VI 視方向から見た縦断側面図、（Ｂ）（Ｃ）は背用傾動ユニットの斜視図である。
【図７】（Ａ）は背クッションを表示した状態での部分正面図、（Ｂ）は背クッションを省略した状態での部分正面図である。
【発明を実施するための形態】
【００２５】
(1).概要
次に、本願発明の実施形態を説明する。本願発明は、オフィス等で使用されている回転椅子に適用している。まず、図１，２を参照して、椅子の概要を説明する。椅子は、座１と背もたれ２と脚装置３とを備えている。脚装置３は、５本の枝杆とガスシリンダよりなる脚支柱４とを備えており、各枝杆の先端にキャスタを設けている一方、脚支柱４の上端にベース（図示せず）を嵌着している。脚支柱４は、座１の前後中間点よりも少し後ろに配置されている。
【００２６】
図示していないが、ベースは平面視四角形（横長長方形) のブロック状の形態であり、ベースに、左右のフロントフレーム（座支柱）６と左右の背支柱（リアフレーム）７とを固定して、フロントフレーム６に座１を前後傾動可能に取付けて、背支柱７の上端部に背もたれ２を後傾動可能に取り付けている。
【００２７】
図１（Ｄ）に示すように、フロントフレーム６の上端には前後長手の受け部８が形成されており、座１は、この受け部８に後傾動可能に連結されている。図１（Ａ）、図２（Ｃ）に示すように、背支柱７の上端部には、オプション品として肘掛け９を取り付けることができる。
【００２８】
図２（Ｂ）（Ｃ）に明示するように、左右の背支柱７は、側面視では上に行くに従って前にずれるように傾斜しており、正面視では、上に行くに従って互いの間隔が広がるように傾斜している。
【００２９】
背支柱７は、図２（Ｂ）に明示するように、側面視では、ベース５から後傾姿勢で立ち上がって、概ね座１の高さ位置で前傾姿勢に変わるように屈曲したく字形になっており、正面視では、図２（Ｄ）に明示するように、概ね座１の高さまでは上に向けて外広がりに傾斜して、概ね座１よりも上の範囲ではほぼ直立している。
【００３０】
背支柱７の上部は背もたれ２の下部の左右外側に位置しており、背もたれ２は、その下部を支点にして後傾動するように背支柱７の上端部に取付けられている。従って、図２（Ｂ）に示すように、背もたれ２の回動支点Ｏ１（回動中心）は背もたれ２の肉厚部内に位置している。図２（Ｂ）に示すように、座１の回動支点Ｏ２も、座１の肉厚部内に位置している。
【００３１】
フロントフレーム６及び背支柱７の下半部は、図１（Ｄ）に示すように、いわば対角方向に向けて広がるように、正面視及び側面視で傾斜している。換言すると、フロントフレーム６と背支柱７とは、平面視四角形のベース５のコーナー部から略対角方向に傾斜姿勢で立ち上がっている。更に換言すると、４本のフレーム６，７が、座１の下方においてベース５に向けて収束するような外観を呈している。
【００３２】
左右のフロントフレーム６はアルミダイキャスト品又は樹脂成型品であり、平面視略角形（横長長方形）のフロント基体６ａが一体に形成されている。他方、左右の背支柱７は互いに分離しており、それぞれ平面視略四角形のリア基体７ａが一体に形成されている。そして、左右のリア基体７ａは左右に連続するように重なって、左右のリア基体７ａとフロント基体６ａとは前後に重なっている。
【００３３】
従って、フロント基体６ａと左右のリア基体７ａとの三者は全体として１つの部材を成すかのように重なっており、この三者によってベースがすっぽりと覆われている。従って、２本のフロントフレーム６と２本の背支柱７とは、平面視略四角形の基部から対角方向に傾斜姿勢で立ち上がったような外観を呈しており、ベースは、椅子をひっくり返さないと視認できない状態になっている。
【００３４】
(2).背もたれの取付け構造
次に、背支柱７に対する背もたれ２の取付け構造を、図３以下の図面も参照して説明する。図３（Ａ）に示すように、背もたれ２は、樹脂製の背インナーシェル１０の前面に背クッション１１を重ね配置した構造であり、背インナーシェル１０の左右側部が、背用傾動ユニット１２を介して背支柱７の上端部に後傾動可能に取付けられている。背クッション１１は、クロス等の表皮材で覆われている。また、背インナーシェル１０の背面も表皮材で覆われている。従って、表皮材は袋状に形成されている。
【００３５】
例えば図４に示すように、背用傾動ユニット１２は、背インナーシェル１０と一体に動くアウターブラケット１３と、アウターブラケット１３の内部に配置されていて背支柱７に固定されたインナーブラケット１４と、アウターブラケット１３の外側面に重ね配置されたサイドブラケット１５とを備えており、これらは、背インナーシェル１０の曲がりに合わせて、側面視で略く字形になっている。アウターブラケット１３は請求項に記載した可動ブラケットの例であり、背インナーブラケット１４は、請求項に記載した固定ブラケットの例である。
【００３６】
背インナーシェル１０の屈曲部には、アウターブラケット１３が嵌まり込む凹所１６を形成している。背インナーシェル１０のうち凹所１６を形成した部位は、僅かに手前に膨れているが、基本的には、背インナーシェル１０の厚さは殆ど変えずに凹所１６を形成している。また、凹所１６を形成した部位が手前に向けて僅かに膨れても、膨らみは背クッション１１によって隠れるため、膨らみの存在は外部からは視認できない。従って、凹所１６を形成したことに起因して背もたれ２の一部が厚ぼったくなるような外観上の問題は皆無である。
【００３７】
サイドブラケット１５の下半部には外向き凸部１５ａが形成されており、図３（Ｃ）に示すように、サイドブラケット１５は、外向き凸部１５ａのみが背インナーシェル１０の外側にはみ出ており、外向き凸部１５ａが、背支柱７の内側面に当接又は密接している。すなわち、サイドブラケット１５の外向き凸部１５ａと背支柱７の内側面との間には、実質的には隙間が存在しないか、存在しても僅かである。
【００３８】
アウターブラケット１３とインナーブラケット１４とは、左右横長の枢支ピン１７によって連結されており、かつ、図６（Ａ）に示すように、アウターブラケット１３とインナーブラケット１４との間には、枢支ピン１７よりも上の位置においてばね１８が配置されている。アウターブラケット１３とインナーブラケット１４とには、ばね１８を位置決めするバーリング部１９が形成されている。
【００３９】
アウターブラケット１３とインナーブラケット１４とは、それぞれ側板１３ａ，１４ａとを備えている。また、アウターブラケット１３は、前面板１３ｂと後面板１３ｃも有していて全体として筒状に形成されており、インナーブラケット１４は樋状に形成されている。
【００４０】
図３（Ａ）や図６（Ａ）に示すように、背インナーシェル１０の背面のうち屈曲部の箇所には、左右横長の補強板２０が重ね配置されており、図６に示すように、補強板２０の端部と、背インナーシェル１０と、アウターブラケット１３の後面板１３ｃの上部及び下部とが、ビス２１で共締めされている。
【００４１】
図６（Ａ）のとおり、ビス２１は、インナーブラケット１４の上下両側に配置されている。背インナーシェル１０の背面には、補強板２０をずれ不能に保持する凹溝２２が形成されており、補強板２０は、凹溝２２に設けた位置決め突起２３（図３（Ａ）参照）によっても位置決めされている。
【００４２】
補強板２０の左右両端には、アウターブラケット１３の下端まで延びる下向き張り出し部２０ａが形成されており、下向き張り出し部２０ａが、下部のビス２１によって背インナーシェルとアウターブラケット１３とに共締めされている。着座した人が背もたれ２にもたれ掛かると、背もたれ２の下端部には大きなモーメントが掛かるが、補強板２０が存在するため、モーメントに抵抗する強度を確保できる。
【００４３】
例えば図４（Ｂ）に示すように、アウターブラケット１３の後面板１３ｃには、後ろ向きに開口した透かし穴２４が形成されており、ビス２１による締結は、透かし穴２４を挟んだ上と下との上下２か所において行われている。枢支ピン１７は、アウターブラケット１３とインナーブラケット１４とにきっちり挿通している。なお、枢支ピン１７は、アウターブラケット１３とインナーブラケット１４とのうちいずれか一方に、溶接やかしめ付けなどで固定しておいてもよい。
【００４４】
また、枢支ピン１７は、サイドブラケット１５における外向き凸部１５ａの外側にはみ出た露出部を備えており、この露出部が、背支柱７に形成した軸受け溝２５に落とし込みによって嵌め込まれている。図５（Ｂ）に示すように、軸受け溝２５は、手前と左右両側とに開口しつつ、下方に入り込んで背もたれ２に向けて内向きに開口した深溝部２５ａを有しており、枢支ピン１７の露出部は深溝部２５ａによって安定的に支持されている。
【００４５】
敢えて述べるまでもないが、背用傾動ユニット１２を先に背インナーシェル１０の凹所１６にセットしておく一方、背支柱７は予め所定の状態に取り付けておいて、枢支ピン１７の露出部を手前から軸受け溝２５に嵌め入れて深溝部２５ａに落とし込むことにより、背もたれ２は、背支柱７の上端部に回動可能に取付けられる。
【００４６】
既述のとおり，枢支ピン１７は、インナーブラケット１４にも貫通している。そして、図４に明示するように、背支柱７のうち軸受け溝２５よりも下方の部位に外側から横向きボルト２６が挿通されていて、横向きボルト２６が、インナーブラケット１４の内側板１４ａにねじ込まれている。
【００４７】
横向きボルト２６は段付きボルトであり、インナーブラケット１４にねじ込みきると、インナーブラケット１４は、アウターブラケット１３の外側板１３ａとの間に僅かのクリアランスを保持した状態で、背支柱７に連結されている。従って、インナーブラケット１４は、アウターブラケット１３の内部に配置されているものの、横向きボルト２６によって前後動不能及び上下動不能に保持されて背支柱７と一体化しており、結果として、枢支ピン１７も軸受け溝２５から抜け不能に保持されている。また、図６（Ａ）から理解できるように、（アウターブラケット１３は、ばね１８を圧縮させて後傾可能になっている。）
【００４８】
図６（Ｂ）（Ｃ）から理解できるように、サイドブラケット１５の上端部と下端部とには、アウターブラケット１３に向けて突出した上下の係合爪２７が形成されている一方、アウターブラケット１３の外側の側板１３ａには、係合爪２７が係合する係合穴２８を形成している。
【００４９】
従って、サイドブラケット１５は、アウターブラケット１３と一体に回動する。そして、横向きボルト２６はサイドブラケット１５とアウターブラケット１３とに貫通しているので、サイドブラケット１５及びアウターブラケット１３が背もたれ２と一体に回動することを許容するため、サイドブラケット１５とアウターブラケット１３とには、請求項４に記載した逃がし穴として、枢支ピン１７を曲率半径の中心とした円弧穴２９が空いている。
【００５０】
(3).上カバー・まとめ
図１（Ａ）のとおり、背支柱７の上端部に肘掛け９を取り付けることができるが、肘掛け９を取付けていない状態では、例えば図５に示すように、背支柱７の上部は上カバー３０で覆われている。上カバー３０の外面はその下方の部位と同一面になっている。従って、上カバー３０で覆われている部分は、その下方の部位から段落ちして少し細くなっている。例えば図３（Ａ）（Ｃ）に示すように、段部に符号７ｂを付している。
【００５１】
上カバー３０は、背支柱７を左右外側からすっぽり覆うように溝形になっている（正確には、下方と内側とに開口した溝形になっている。）。そして、上部の内側面に、前後の横向き係合爪３１が固定されている一方、背支柱７の前後両面に、横向き係合爪３１が嵌まり係合する切り開き溝３２を形成している。前後の横向き係合爪３１は基端板３１ａを介して一体に繋がっており、基端板３１ａが、ビス３３（図５（Ｂ）参照）によって上カバー３０の内面に固定されている。
【００５２】
他方、切り開き溝３２のうち背もたれ２に近い端部には、横向き係合爪３１の鉤部が嵌合する段部３２ａが形成されている。従って、上カバー３０は、横方向から背支柱７に嵌め込んで強く押さえるだけで、背支柱７に脱落しないように取付けられる。
【００５３】
背用傾動ユニット１２は背もたれ２の内部に格納されているため、外部から背用傾動ユニット１２を視認することはできない。従って、背もたれ２が後傾するロッキング機能を有する椅子でありながら、シンプルな外観を実現できている。
【００５４】
また、背もたれ２は、最も前に出た部分（ランバーサポート部）において背支柱７に連結されているため、ロッキングしても着座者と背もたれ２との間に滑りが発生することは殆どない。このため、違和感を無くして快適なロッキング状態を実現できる。実施形態のように、ボルト２６を利用してインナーブラケット１４を回動不能に保持すると、構造を簡単化できる利点がある。線材製のコイルばね１８に代えて、ゴム質樹脂のような弾性体を使用することも可能である。
【００５５】
アウターブラケット１３の回動範囲は、インナーブラケット１４によって規制されている。従って、背もたれ２の前後後傾範囲は、インナーブラケット１４とアウターブラケット１３とによって規定されている。
【００５６】
既述のとおり、背インナーシェル１０の前面には背クッション１１が張られているが、図７（Ｂ）に示すように、背クッション１１は、背インナーシェル１０の外周も覆っており、また、図示は省略しているが、背インナーシェル１０の後面（背面）も覆っている（補強板２０は背クッション１１で覆われているため、透けて見えることはない。）。背クッション１１のうち背インナーシェル１０の外周面及び後面を覆っている部分は、厚さ数ｍｍの厚さで薄くなっている。
【００５７】
図７（Ｂ）に明示するように、背クッション１１は、背インナーシェル１０と背支柱７との間の空間にも入り込んでおり、サイドブラケット１５の外向き凸部１５ａは、背クッション１１に形成された逃がし穴１１ａを貫通している。そして、背クッション１１は弾性があり、かつ、表皮材も実際には数ｍｍの厚さがあるため、背インナーシェル１０と背支柱７との間の空間は、背クッション１１及び表皮材で満たされた状態になっている。従って、背もたれ２と背支柱７との間に隙間が現れることを防止して美観を向上できる。
【００５８】
また、背もたれ２と背支柱７との間の隙間は僅かであることに加えて、隙間には背クッション１１と表皮材とで満たされているため、人が指先を挿入することは不可能であり、従って、安全性について問題は皆無である。
【００５９】
また、枢支ピン１７は背支柱７の軸受け溝２５に落とし込むものであるため、取付け作業も迅速に行える。この点、本実施形態の大きな利点の一つである。
【００６０】
(4).その他
以上、本願発明の実施形態を説明したが、本願発明は他にも様々に具体化できる。例えば、ばね手段としては、トーションバーやねじりばね、或いは板ばねなども採用可能である。また、アウターブラケットとインナーブラケットとは必ずしも必要はない。強度面での条件が許せば、枢支ピンを背もたれに直接に固定したり、背支柱に固定した枢支ピンを背もたれに直接挿通したりすることも可能である。
【００６１】
背もたれの枢支手段（連結手段）としては、必ずしも実施形態のような枢支ピンを使用する必要はない。例えば、背もたれの側面に筒体を固定して、背支柱に設けたピンを筒体に挿通するといったことも可能である。
【００６２】
また、本願発明の適用対象は回転椅子には限らず、公演宴会場などに多用されている固定脚式椅子（座の高さが一定の椅子）にも適用できる。背もたれ（及び座）の構造も、任意に設定できる。例えば、フレームにメッシュを張った構造も採用できる。背支柱をベースを一体に設けることも可能であるし、フロントフレームと背支柱とベースとを一体品として製造することも可能である。なお、本願発明からは外れるが、背支柱に設けた凹所にばね手段を内蔵することも可能である（但し、本願発明のように背もたれにばね手段を内蔵すると、背支柱をスリム化して美観を向上できる。）。
【産業上の利用可能性】
【００６３】
本願発明は、椅子に具体化できる。従って、産業上利用できる。
【符号の説明】
【００６４】
２  背もたれ
５  ベース
７  背支柱
１０  背インナーシェル
１１  背クッション
１２  背用傾動ユニット
１３  アウターブラケット
１４  インナーブラケット
１５  サイドブラケット
１５ａ  外向き凸部
１６  凹所
１７  枢支ピン
１８  ばね手段の一例としてコイルばね
２０  補強板
２５  軸受け溝
２６  横向きボルト
２９  円弧穴（逃がし穴）
３０  上カバー
【図１】
2020018570.tif 000003
【図２】
2020018570.tif 000004
【図３】
2020018570.tif 000005
【図４】
2020018570.tif 000006
【図５】
2020018570.tif 000007
【図６】
2020018570.tif 000008
【図７】
2020018570.tif 000009